(57)【要約】【課題】施工コストの高額化を防止すると共に、施工期間を短くすることができるプレハブ式階段を提供する【解決手段】水平に配置される踏み板４と、この踏み板４の踏み面４ａに対して垂直に配置される蹴上げ板６とを有する複数のステップ部材８が、傾斜方向に沿って階段状に並べて配置され、各段のステップ部材８が、傾斜面７上の傾斜方向に配置された棒状部材１８の上に階段状に並べて固定されたプレハブ式階段３０において、棒状部材１８に取付けられた複数の手摺支持金物３２と、手摺支持金物３２に長さ方向下端部が固定されることにより、ステップ部材８の長さ方向端部側の位置に立設された複数の支柱２０と、複数の支柱２０の長さ方向上端部に、長さ方向両端部がそれぞれ連結された複数の棒状の手摺ビーム２１とを備えた。【選択図】図１
2014218884.tif 000002
【特許請求の範囲】
【請求項１】
水平に配置される踏み板と、この踏み板の踏み面に対して垂直に配置される蹴上げ板とを有する複数のステップ部材が、傾斜方向に沿って階段状に並べて配置され、各段の前記ステップ部材が、傾斜面上の傾斜方向に配置された棒状部材の上に階段状に並べて固定されたプレハブ式階段において、
前記棒状部材に取付けられた複数の手摺支持部材と、
前記手摺支持部材に長さ方向下端部が固定されることにより、前記ステップ部材の長さ方向端部側の位置に立設された複数の支柱と、
前記複数の支柱の長さ方向上端部に、長さ方向両端部がそれぞれ連結された複数の棒状の手摺部材とを備えた
ことを特徴とするプレハブ式階段。
【請求項２】
前記手摺支持部材は、前記棒状部材に形成された貫通孔と、前記手摺支持部材を貫通するように形成された取付け孔とを共に挿通するボルトのオネジ部にナットのメネジ部が締結することにより、前記棒状部材の前記支柱に対向する側の面に固定され、
前記取付け孔は、前記支柱の長さ方向が前記踏み板に対して垂直となる前記手摺支持部材の角度を維持するために、前記棒状部材の傾斜角度に応じて、前記ボルトと前記ナットがネジ締結される位置を変更することができるように形成されている
ことを特徴とする請求項１に記載のプレハブ式階段。
【請求項３】
前記取付け孔は、前記手摺支持部材の長さ方向の両端部近傍の位置にそれぞれ配置され、その開口形状が、手摺支持金物３２の長さ方向両端部側に凸状に突出し、長さ方向中央部側に凹状に凹むような円弧状にそれぞれ形成されている
ことを特徴とする請求項１又は２に記載のプレハブ式階段。
【請求項４】
前記踏み板の踏み面と反対側の面に固定された板状の手摺補強部材を有し、この手摺補強部材の長さ方向の前記支柱側の端部が前記ステップ部材の長さ方向端部より外側に突出して前記支柱に固定されている
ことを特徴とする請求項１ないし３のいずれかに記載のプレハブ式階段。
【発明の詳細な説明】
【技術分野】
【０００１】
本発明は、プレハブ式階段に関するものである。
【背景技術】
【０００２】
従来のプレハブ式階段には、手摺が設けられていないものがあった（特許文献１参照）。しかしながら、手摺が無いとその階段を昇っている人の体が不安定となって危険な場合には手摺を付けたものもあった。
【０００３】
図７から図９は、手摺を付けた従来のプレハブ式階段１を説明するために参照する図である。このプレハブ式階段１は、例えば山間部における登山道や、工事現場等の傾斜面に簡単に取付けることができる階段として使用される。
【０００４】
プレハブ式階段１は、図７に示すように、踏み板４と蹴上げ板６とが一体形成された、合成樹脂製の複数のステップ部材８が階段状に配置されていた。
【０００５】
また、ステップ部材８には、その踏み板４の幅方向において、地面の傾斜面７寄りの（山側の）端部に、上方に高さを有する取付け板部１０が一体的に形成されていた。そして、ステップ部材８の斜め上方側に隣合って配置された別のステップ部材８の、蹴上げ板６の下端部が、斜め下方側のステップ部材８の踏み板４の踏み面４ａ（上面）に突き当てられると共に、この踏み板４の取付け板部１０の、地面の傾斜面７と反対側の（谷側の）立ち上がり面に接触して配置されていた。
【０００６】
そして、釘部材１２が、蹴上げ板６と踏み板４の取付け板部１０を貫通するように打込まれて、互いに斜め上下方向に隣合うステップ部材８同士が互いに連結されていた。
【０００７】
また、プレハブ式階段１は、図７から図９に示すように、地面の傾斜面７上に傾斜方向に互いに平行に配置された、合成樹脂製の２本の棒状部材１８の上に、ステップ部材８が、棒状部材１８の長さ方向に沿って階段状に並べて固定されていた。
【０００８】
各ステップ部材８の踏み板４には、図７に示すように、この上側に別のステップ部材８が配置される前に、その踏み板４における取付け板部１０の近傍に、釘部材１４が踏み面４ａから棒状部材１８に向かって、棒状部材１８の長さ方向に対して略直角方向に打込まれていた。
【０００９】
このようにして、釘部材１４の先端側が、踏み板４の下側の棒状部材１８に突き刺さることにより、ステップ部材８は棒状部材１８に固定されていた。そして、釘部材１４の頭部は、踏み板４の上側に配置される別のステップ部材８の蹴上げ板６の下端に覆われて、外部からは見えないようになっていた。
【００１０】
また、図７に示すように、棒状部材１８の厚さ方向に形成された貫通孔にアンカーボルト１９を挿通し、アンカーボルト１９の地上側のオネジ部に、棒状部材１８の厚さ方向両側から一対のナット１５それぞれのメネジ部をネジ締結することにより、棒状部材１８に固定されていた。
【００１１】
そして、アンカーボルト１９の地中側の先端部が傾斜面７の地面の土中に突き刺さることにより、棒状部材１８は地面の地上側の傾斜面７上に後端部が突出するように固定されていた。
【００１２】
このように、各ステップ部材８を傾斜面７上に配置された棒状部材１８の上に固定することにより、ステップ部材８が傾斜面７の凹凸の影響を直接受けないようになっていた。
【００１３】
また、図７から図９に示すように、最下段のステップ部材８が、傾斜面７に沿う方向の土圧や、降雨時の水流の力等を受けて傾斜面７の下流側に移動しないように、地中に打込まれたアンカーボルト１９よりさらに径が大きい杭１６に当接して、その杭１６の抵抗力によりステップ部材８は強固に支えられていた。
【００１４】
また、図８に示すように、ステップ部材８の長さ方向（図８中左右方向）の両端部からその長さ方向外側に少し離れた位置に、図７に示すように傾斜方向に間隔を置いて、円筒状の鋼管２４が配置されていた。鋼管２４は、開口した上端部以外のほとんどが地中に埋め込まれ、その内周面と支柱２０の外周面との間にはモルタル２３が充填されていた。
【００１５】
このため、円筒状の支柱２０の下端部は、鋼管２４の内部に挿入されて、鋼管２４内でモルタル２３により固定されていた。このように、支柱２０は、鋼管２４内のモルタル２３によりその下端部が固定されることにより、地面の傾斜面７上に鉛直方向に伸びるよう
に立設されていた。
【００１６】
また、図７に示すように、支柱２０の上端部には、水平断面形状がコの字状（図８参照）の手摺取付金具２２が設けられていた。そして、図８に示すように、ボルト２５のオネジ部が、手摺取付金具２２と手摺ビーム２１（手摺部材）それぞれの端部に形成された貫通孔を共に挿通し、そのオネジ部の先端部にナット２６のメネジ部がネジ締結されていた。
【００１７】
このように、中空のパイプ状（棒状）の手摺ビーム２１は、その長さ方向両端部が手摺取付金具２２を介して支柱２０の上端部にそれぞれ連結されることにより、上記ステップ部材８の長さ方向両端部からその長さ方向外側に少し離れた位置に設けられていた（図８参照）。
【先行技術文献】
【特許文献】
【００１８】
【特許文献１】実用新案登録第３１１９５２２号公報
【発明の概要】
【発明が解決しようとする課題】
【００１９】
しかしながら、従来のプレハブ式階段１において、手摺ビーム２１は、下端部が棒状部材１８から離れた鋼管２４中に埋め込まれた支柱２０に連結されているため、棒状部材１８に固定されたステップ部材８とは互いに独立して固定されていた。
【００２０】
このため、傾斜面７の凹凸によって、棒状部材１８から傾斜面７までの鉛直方向の距離が長くなっている場合は、棒状部材１８から手摺ビーム２１までの高さ寸法を一定にするためには、その長くなった距離に応じて支柱２０の地上の長さ寸法を長くする必要があった。
【００２１】
一方、傾斜面７の凹凸によって、棒状部材１８から傾斜面７までの鉛直方向の距離が短くなった場合は、棒状部材１８から手摺ビーム２１までの高さ寸法を一定にするためには、その短くなった距離に応じて支柱２０の地上の長さ寸法を短くする必要があった。
【００２２】
例えば、図７に示すように、棒状部材１８から傾斜面７までの鉛直方向の距離が長くなる位置に配置された図７中右側に配置されている支柱２０は、棒状部材１８から傾斜面７までの鉛直方向の距離が短くなる位置に配置された図７中左側に配置されている支柱２０よりもその地上の長さ寸法が長くなるように形成される必要があった。
【００２３】
したがって、プレハブ式階段１を現地で設置する際には、傾斜面７の凹凸の状態に応じた長さ寸法の支柱２０を製作する必要があったため、施工コストが高額化すると共に、施工期間が長くなるという問題があった。
【００２４】
そこで本発明は、上記問題点に鑑みて、施工コストの高額化を防止すると共に、施工期間を短くすることができるプレハブ式階段を提供することを課題とするものである。
【課題を解決するための手段】
【００２５】
上記課題を解決するために、本発明によるプレハブ式階段は、
水平に配置される踏み板と、この踏み板の踏み面に対して垂直に配置される蹴上げ板とを有する複数のステップ部材が、傾斜方向に沿って階段状に並べて配置され、各段の前記ステップ部材が、傾斜面上の傾斜方向に配置された棒状部材の上に階段状に並べて固定されたプレハブ式階段において、
前記棒状部材に取付けられた複数の手摺支持部材と、
前記手摺支持部材に長さ方向下端部が固定されることにより、前記ステップ部材の長さ方向端部側の位置に立設された複数の支柱と、
前記複数の支柱の長さ方向上端部に、長さ方向両端部がそれぞれ連結された複数の棒状の手摺部材とを備えた
ことを特徴とするものである。
【００２６】
また、本発明によるプレハブ式階段は、
前記手摺支持部材は、前記棒状部材に形成された貫通孔と、前記手摺支持部材を貫通するように形成された取付け孔とを共に挿通するボルトのオネジ部にナットのメネジ部が締結することにより、前記棒状部材の前記支柱に対向する側の面に固定され、
前記取付け孔は、前記支柱の長さ方向が前記踏み板に対して垂直となる前記手摺支持部材の角度を維持するために、前記棒状部材の傾斜角度に応じて、前記ボルトと前記ナットがネジ締結される位置を変更することができるように形成されている
ことを特徴とするものである。
【００２７】
また、本発明によるプレハブ式階段は、
前記取付け孔は、前記手摺支持部材の長さ方向の両端部近傍の位置にそれぞれ配置され、その開口形状が、手摺支持金物３２の長さ方向両端部側に凸状に突出し、長さ方向中央部側に凹状に凹むような円弧状にそれぞれ形成されている
ことを特徴とするものである。
【００２８】
また、本発明によるプレハブ式階段は、
前記踏み板の踏み面と反対側の面に固定された板状の手摺補強部材を有し、この手摺補強部材の長さ方向の前記支柱側の端部が前記ステップ部材の長さ方向端部より外側に突出して前記支柱に固定されている
ことを特徴とするものである。
【発明の効果】
【００２９】
このような本発明のプレハブ式階段によれば、
水平に配置される踏み板と、この踏み板の踏み面に対して垂直に配置される蹴上げ板とを有する複数のステップ部材が、傾斜方向に沿って階段状に並べて配置され、各段の前記ステップ部材が、傾斜面上の傾斜方向に配置された棒状部材の上に階段状に並べて固定されたプレハブ式階段において、
前記棒状部材に取付けられた複数の手摺支持部材と、
前記手摺支持部材に長さ方向下端部が固定されることにより、前記ステップ部材の長さ方向端部側の位置に立設された複数の支柱と、
前記複数の支柱の長さ方向上端部に、長さ方向両端部がそれぞれ連結された複数の棒状の手摺部材とを備えたことにより、
施工コストの高額化を防止すると共に、施工期間を短くすることができるプレハブ式階段を提供することができる。
【図面の簡単な説明】
【００３０】
【図１】本発明の一実施の形態に係るプレハブ式階段３０を示すその側面図である。
【図２】図１におけるプレハブ式階段３０を示すその平面図である。
【図３】図１におけるプレハブ式階段３０を示すその正面図である。
【図４】図１におけるプレハブ式階段３０の部分拡大側面図である。
【図５】図３におけるプレハブ式階段３０の部分拡大正面図である。
【図６】図１におけるプレハブ式階段３０の棒状部材１８の傾斜角度が異なる場合の手摺支持金物の取付け状態を示した部分拡大側面図である。
【図７】従来のプレハブ式階段１を示すその側面図である。
【図８】図７におけるプレハブ式階段１を示すその平面図である。
【図９】図７におけるプレハブ式階段１を示すその正面図である。
【発明を実施するための形態】
【００３１】
以下、本発明に係るプレハブ式階段を実施するための形態について、図面に基づいて具体的に説明する。
【００３２】
図１から図６は、本発明の一実施の形態に係るプレハブ式階段３０について説明するために参照する図である。これらの図に示すプレハブ式階段３０は、前記従来のプレハブ式階段１と同様の部分には同じ符号を付して説明し、従来と同様の構成についての重複する説明は一部を除き省略するものとする。
【００３３】
本実施の形態に係るプレハブ式階段３０においては、図１から図３に示すように、金属製で板状の手摺支持金物（手摺支持部材）３２が、その長さ方向が棒状部材１８の長さ方向と略平行に配置されて、棒状部材１８の支柱２０と対向する側の面に接触するように設けられている。また、手摺支持金物３２は、棒状部材１８の長さ方向に所定の間隔をおいて複数配置されている（図１参照）。
【００３４】
また、図４に示すように、手摺支持金物３２には、その長さ方向両端部近傍で、長さ方向中央部に対して互いに略線対象となる位置に、板厚方向に貫通した取付け孔３２ａがそれぞれ形成されている。また、取付け孔３２ａの開口形状は、手摺支持金物３２の長さ方向両端部側に凸状に突出し、その長さ方向中央部側に凹状に凹むような円弧状にそれぞれ形成されている。
【００３５】
そして、図５に示すように、ボルト３３（図４参照）のオネジ部が、支柱２０側（図５中左側）から手摺支持金物３２の取付け孔３２ａと、棒状部材１８に形成された貫通孔を挿通し、そのオネジ部の先端部にナット３４のメネジ部がネジ締結されている。
【００３６】
このように、手摺支持金物３２は、ボルト３３とナット３４のネジ締結により、棒状部材１８の支柱２０と対向する側（図５中左側）の面に固定されている。
【００３７】
また、図４及び図５に示すように、手摺支持金物３２の支柱２０と対向する側（図５中左側）の面には、板状の接続金物３１（手摺支持部材）が溶接等により固定されており、その長さ方向が支柱２０の長さ方向と同じ方向（鉛直方向）となるように配置されている。そして、接続金物３１の幅方向の支柱２０側（図５中左側）の端部は、支柱２０の下端部の外周面に溶接等により固定されている。
【００３８】
このように、従来のプレハブ式階段１と異なり、プレハブ式階段３０の支柱２０の下端部は、手摺支持金物３２及び接続金物３１を介して棒状部材１８に取付けられているため、地面の傾斜面７の凹凸の状態が変わっても、支柱２０の長さ寸法を変更する必要がなくなる。すなわち、支柱２０の長さ寸法はいずれも一定の長さ寸法で使用することが可能となる。
【００３９】
したがって、プレハブ式階段３０を現地で設置する際に、地面の傾斜面７の凹凸の状態に応じた長さ寸法の支柱２０を製作する必要がなくなるため、施工コストの高額化を防止すると共に、施工期間を短くすることができる。
【００４０】
また、手摺支持金物３２の取付け孔３２ａは、その開口形状が円弧状となるように形成されているため、傾斜面７の凹凸の状態により水平方向に対して棒状部材１８の傾斜角度が変わった場合でも、手摺支持金物３２の水平方向に対する角度を変更することなく、ボルト３３とナット３４をネジ締結する位置を変更して、手摺支持金物３２を棒状部材１８に固定することが可能となっている。
【００４１】
このように、棒状部材１８の水平方向に対する角度が変更しても、手摺支持金物３２の水平方向に対する角度を維持することができるため、支柱２０の長さ方向が、棒状部材１８の傾斜角度の変更により傾くことはなく、水平に配置された踏み板４に対して垂直となるように、支柱２０を立設させることが可能となる。
【００４２】
例えば、図６（ａ）のように棒状部材１８の水平方向に対する傾斜角度が小さい場合でも、図６（ｂ）のように棒状部材１８の水平方向に対する傾斜角度が大きい場合でも、ボルト３３とナット３４をネジ締結する位置を変更することにより、支柱２０の長さ方向が踏み板４に対して垂直となるように、手摺支持金物３２を棒状部材１８に固定することができるようになっている。
【００４３】
ところで、手摺支持金物３２を水平方向に対する角度を変更することなく、棒状部材１８に取り付けることができる棒状部材１８の傾斜角度の範囲は、取付け孔３２ａの開口形状、及び、形成される位置によって決定される。
【００４４】
そのため、想定される棒状部材１８の傾斜角度の範囲に応じて、取付け孔３２ａの開口形状、及び、形成される位置を決定する必要がある。
【００４５】
また、図１から図５に示すように、金属製で板状の手摺補強金物（手摺補強部材）３５の板面が、踏み板４の踏み面４ａの反対側の裏面に接触するように配置され、２組のボルト３６とナット３７のネジ締結（図５参照）により、手摺補強金物３５がステップ部材８に固定されている。
【００４６】
手摺補強金物３５は、図２に示すように、踏み板４の長さ寸法の半分以下の長さ寸法を有し、踏み板４の長さ方向両端部寄りのそれぞれの位置に、その長さ方向が踏み板４の長さ方向と略平行となるように配置されている。
【００４７】
また、図５に示すように、ステップ部材８の踏み板４には、ボルト３６が踏み面４ａ側から踏み面４ａの反対側に向かって挿通するための貫通孔が形成されていると共に、手摺補強金物３５の水平の板部にもそのボルト３６が挿通するための貫通孔が形成されている。
【００４８】
また、ステップ部材８は、踏み板４の上記ボルト３６が挿通する貫通孔の上端部には、踏み面４ａに開口する上端から所定の深さまでの径が、その所定の深さより下方の本来の貫通孔の径より大きな凹部が形成されている。
【００４９】
ボルト３６のオネジ部が踏み板４の貫通孔に挿通されると、ボルト３６の頭部が上記凹部に埋め込まれた状態となって、踏み板４の踏み面４ａの上に乗った人の靴がボルト３６の頭部に引っかからないようになっている。
【００５０】
そして、ボルト３６のオネジ部の下端部が、手摺補強金物３５の水平板部の貫通孔を挿通した後、ナット３７のメネジ部とネジ締結することにより、手摺補強金物３５は踏み板４の踏み面４ａの裏面に固定されている。
【００５１】
また、図４及び図５に示すように、支柱２０における手摺補強金物３５が設けられた高さ位置には、２つの略半円筒型の支持金具３８が、支柱２０の外周面を覆い囲むように互いに対向するよう組み合わされて配置されている。
【００５２】
また、支持金具３８には、その円周方向の両端部それぞれから水平方向外側（図４中の左右両側）に折れ曲がるように突出した板部が形成され、この板部には貫通孔が形成されている。
【００５３】
そして、それらの貫通孔が同軸線上に位置するように２つの支持金具３８を互いに対向するように組み合わせ、それらの貫通孔にボルト４０が挿通され、ボルト４０のオネジ部がナット４１のメネジ部とネジ締結（図５参照）されている。
【００５４】
このように、２つの支持金具３８は、互いに対向するように組み合わされた状態で、支柱２０の外周面を覆い囲むように固定されている。
【００５５】
また、図５に示すように、手摺補強金物３５は、その長さ方向の支柱２０側（図５中の左側）の端部が、支持金具３８の半円筒部の外周面の円周方向中央部に溶接等により固定されている。
【００５６】
このように、支柱２０が、手摺補強金物３５及び支持金具３８を介してステップ部材８に固定されているため、例えば人が手摺ビーム２１（手摺部材）を持った際に、手摺ビーム２１に横方向（図２中左右方向）の力が加わった場合でも、支柱２０が横方向（図２中左右方向）に倒れることがなく、手摺ビーム２１の強度を保持することができるようになっている。
【００５７】
したがって、以上に説明したように、本実施の形態に係るプレハブ式階段３０によれば、施工コストの高額化を防止すると共に、施工期間を短くすることができる。
【００５８】
なお、前記一実施の形態に係るプレハブ式階段３０においては、それらを構成するステップ部材８、及び棒状部材１８は合成樹脂（プラスチック）製である場合について説明したが、その場合は再生プラスチックを用いるのが好ましいが、プラスチック以外の材料を用いてもよいことは言うまでもない。
【００５９】
また、前記一実施の形態に係るプレハブ式階段３０においては、取付支持金物３２及び手摺補強金物３５は、その板面の外形形状が矩形に形成されていたが、このような形状に限定される必要はなく、例えば、外形形状が楕円形等の他の形状に形成されていてもよい。
【００６０】
また、前記一実施の形態に係るプレハブ式階段３０においては、図５に示すように、互いにネジ締結される１組のボルト３６とナット３７が、手摺補強金物３５の長さ方向に２組設けられる構成を示したが、２組に限定する必要はなく、２組より多く設けられていてもよい
【００６１】
また、前記一実施の形態に係るプレハブ式階段３０においては、手摺支持金物３２の取付け孔３２ａは、その開口形状が円弧状となるように形成されていたが、このような形状に限定されることはなく、例えば、開口形状が山型や多角形等の形状に形成されていてもよい。
【００６２】
また、前記一実施の形態に係るプレハブ式階段３０においては、手摺支持金物３２には、２つの取付け孔３２ａが設けられていたが、２つに限定する必要はなく、２つより多く設けられていてもよい。
【００６３】
また、前記一実施の形態に係るプレハブ式階段３０においては、支柱２０及び手摺ビーム２１はその断面形状が円筒状に形成されていたが、このような形状に限定される必要はなく、例えば角筒状に形成されていてもよい。
【００６４】
また、前記一実施の形態に係るプレハブ式階段３０においては、手摺支持金物３２及び手摺補強金物３５は金属製であったが、一定以上の強度を有する材料であれば、金属以外の材料を用いてもよい。
【００６５】
また、前記一実施の形態に係るプレハブ式階段３０においては、支柱２０及び手摺ビーム２１は、ステップ部材８の長さ方向両端部側の近傍にそれぞれ設けられるように構成されていたが、このような構成に限定される必要はなく、ステップ部材８の長さ方向の一方の端部側のみに設けられるように構成されていてもよい。
【００６６】
また、前記一実施の形態に係るプレハブ式階段３０においては、階段の各段には１つのステップ部材８が設けられていたが、このような構成に限定される必要はなく、長さ方向に互いに連結された複数のステップ部材８が各段に設けられていてもよい。
【００６７】
また、前記一実施の形態に係るプレハブ式階段３０においては、手摺補強金物３５は、図２に示すように、踏み板４の長さ寸法の半分以下の長さ寸法を有するように形成されていたが、このような長さ寸法に限定される必要はなく、踏み板４の長さ寸法の半分以上又は全長の長さ寸法を有するように形成されていてもよい。
【符号の説明】
【００６８】
１  プレハブ式階段
４  踏み板
４ａ  踏み面
６  蹴上げ板
７  傾斜面
８  ステップ部材
１０  取付け板部
１２，１４  釘部材
１５  ナット
１６  杭
１８  棒状部材
１９  アンカーボルト
２０  支柱
２１  手摺ビーム
２２  手摺取付金具
２３  モルタル
２４  鋼管
２５  ボルト
２６  ナット
３０  プレハブ式階段
３１  接続金物
３２  手摺支持金物
３２ａ  取付け孔
３３，３６  ボルト
３４，３７  ナット
３５  手摺補強金物
３８  支持金具
４０  ボルト
４１  ナット
【図１】
2014218884.tif 000003
【図２】
2014218884.tif 000004
【図３】
2014218884.tif 000005
【図４】
2014218884.tif 000006
【図５】
2014218884.tif 000007
【図６】
2014218884.tif 000008
【図７】
2014218884.tif 000009
【図８】
2014218884.tif 000010
【図９】
2014218884.tif 000011